(57)【要約】      （修正有）【課題】監視対象設備の運営状態を一目で即時把握することが可能であり、設備の運営状態監視能力を高めると同時に人力を節減して監視能率を向上させる。【解決手段】複数個の設備の運営状態を監視するために必要な情報とデータを収集するデータ収集部と、前記データ収集部から伝達された情報とデータを利用して前記設備の運営状態を判断する状態判断部と、同心円チャート５０を監視対象設備の各種運営状態対応するセクターに区分し、前記設備の各運営状態をそれに対応する同心円チャート上のセクター内に同心円の中心を原点にして扇形のセクターグラフに示すが、前記セクターグラフは中心から離れるほど対応する設備の運営状態が定常状態から段々外れる状態に表示するユーザインタフェース部と、で構成する。【選択図】図２
2014167765.tif 000002
【特許請求の範囲】
【請求項１】
複数個の設備の運営状態を監視するために必要な情報とデータを収集するデータ収集部と、
前記データ収集部から伝達された情報とデータを利用して前記設備の運営状態を判断する状態判断部と、
同心円チャートを監視対象設備に対応するセクターに区分し、前記設備それぞれの運営状態を前記各設備に対応する同心円チャート上のセクター内に同心円の中心を原点にして扇形のセクターグラフで示すが、監視する状況や計測値の数によって前記各設備を示すセクターは複数のセクターに細分化されることができ、前記セクターグラフは中心から離れるほど対応する設備の運営状態が定常状態から段々外れる状態に表示するユーザインタフェース部と、を含むセクターグラフ基盤設備の運営状態監視装置。
【請求項２】
前記同心円チャートは、
半径が異なる多数の同心円を目盛りにして設備の運営状態を示すが、各設備の主運営状態を示す主同心円の目盛りと、主同心円の目盛り間により詳しい運営状態を示すための細部同心円目盛りで構成されることを特徴とする請求項１に記載のセクターグラフ基盤設備の運営状態監視装置。
【請求項３】
前記同心円チャートは、
前記各設備の運営状態を定常停止状態、定常運営状態、警戒運営状態、非常運営状態、そして非常停止（トリップ）状態に区分して相互異なる色相で表示することを特徴とする請求項１に記載のセクターグラフ基盤設備の運営状態監視装置。
【請求項４】
前記セクターグラフは、
前記設備の運営状態が段々不安定な状態に変化する場合、前記セクターグラフの縁に行くほど色濃度が段々高くなるように表示され、
前記設備の運営状態が段々良好な状態に変化する場合、色濃度が段々低くなるように表示され、
前記設備の運営状態が不安定な振動を繰り返す場合、振動する状態の区間に該当する同心円の目盛り間の色濃度が同じ濃度で濃く表示されることを特徴とする請求項１に記載のセクターグラフ基盤設備の運営状態監視装置。
【請求項５】
前記同心円チャートは、
各設備の運営状態を示すセクターをトリップ条件によってグループに区分し、
前記設備の特定トリップ条件が複数個のセクターに示す運営状態の組み合わせで構成されている場合には、セクターグラフと、トリップ帯と、セクターグループの組み合わせでトリップ条件の進行状況を表示することを特徴とする請求項１に記載のセクターグラフ基盤設備の運営状態監視装置。
【請求項６】
前記ユーザインタフェース部は、
前記同心円チャートの各セクターに対応するセクター銘板を前記同心円チャートと共に表示し、前記セクター銘板はセクター番号と、名称と、トリップ条件と、リアルタイム計測値と、を表示することを特徴とする請求項１に記載のセクターグラフ基盤設備の運営状態監視装置。
【請求項７】
前記ユーザインタフェース部は、
各設備の運営状態を示すセクター内の特定セクターやセクターの銘板をマウスでクリックする場合、該当セクター内のセクターグラフが特定アナログ計測値を使用して状態を示す場合には該当計測値の推移を示し、下位同心円チャートからのまとめ情報を示す場合には該当する下位の同心円チャートを示して該当設備を構成する細部設備や機器の詳細運営状態を示し得るようにする階層構造で構成されることを特徴とする請求項１に記載のセクターグラフ基盤設備の運営状態監視装置。
【請求項８】
前記ユーザインタフェース部は、
一つの設備故障の余波で複数個の設備の運営状態が異常状況に進展される場合、一定数の過ぎた時間の同心円チャートを短い時間間隔（ｔｉｍｅ  ｓｌｉｃｅ）に順次に全て示して故障の波及状況を全体異常状況の原因追跡が容易であるようにすることを特徴とする請求項１に記載のセクターグラフ基盤設備の運営状態監視装置。
【請求項９】
（ａ）複数個の設備の運営状態を判断するために必要な情報とデータを収集するステップと、
（ｂ）前記情報とデータを利用して前記設備の運営状態を判断するステップと、
（ｃ）同心円チャートを監視対象設備に対応するセクターに区分し、前記設備それぞれの運営状態を前記各設備に対応する同心円チャート上のセクター内に同心円の中心を原点にして扇形のセクターグラフに示すが、監視する状況や計測値の数によって前記各設備を示すセクターは複数のセクターに細分化されえるし、前記セクターグラフは中心から離れるほど対応する設備の運営状態が定常状態から段々外れる状態に表示するステップと、を含むことを特徴とするセクターグラフ基盤設備の運営状態監視方法。
【請求項１０】
前記同心円チャートは、
半径が異なる多数の同心円を目盛りにして設備の運営状態を示すが、各設備の主運営状態を示す主同心円の目盛りと、主同心円の目盛り間により詳しい運営状態を示すための細部同心円の目盛りで表示することを特徴とする請求項９に記載のセクターグラフ基盤設備の運営状態監視方法。
【請求項１１】
前記同心円チャートは、
前記各設備の運営状態を定常停止状態、定常運営状態、警戒運営状態、非常運営状態、そして非常停止（トリップ）状態に区分して相互異なる色相で表示することを特徴とする請求項９に記載のセクターグラフ基盤設備の運営状態監視方法。
【請求項１２】
前記セクターグラフは、
前記設備の運営状態が段々不安定な状態に変化する場合、前記セクターグラフの縁に行くほど色濃度が段々高くなるように表示し、
前記設備の運営状態が段々良好な状態に変化する場合、色濃度が段々低くなるように表示し、前記設備の運営状態が不安定な振動を繰り返す場合、振動する状態の区間に該当する同心円の目盛り間の色濃度が同じ濃度で濃く表示することを特徴とする請求項９に記載のセンターグラフ基盤設備の運営状態監視方法。
【請求項１３】
前記同心円チャートは、
各設備の運営状態を示すセクターをトリップ条件によってグループに区分し、
前記設備の特定トリップ条件が複数個のセクターに示す運営状態の組み合わせで構成されている場合には、セクターグラフと、トリップ帯と、セクターグループの組み合わせでトリップ条件の進行状況を表示することを特徴とする請求項９に記載のセクターグラフ基盤設備の運営状態監視方法。
【請求項１４】
前記ステップ（ｃ）は、
前記同心円チャートの各セクターに対応するセクター銘板を前記同心円チャートと共に表示し、前記セクター銘板はセクター番号と、名称と、トリップ条件と、リアルタイム計測値と、を表示することを特徴とする請求項９に記載のセクターグラフ基盤設備の運営状態監視方法。
【請求項１５】
前記ステップ（ｃ）は、
各設備の運営状態を示すセクター内の特定セクターやセクターの銘板をマウスでクリックする場合、該当セクター内のセクターグラフが特定アナログ計測値を使用して状態を示す場合には該当計測値の推移を示し、下位同心円チャートからのまとめ情報を示す場合には該当される下位の同心円チャートを示して該当設備を構成する細部設備や機器の詳細運営状態を示しえるようにする階層構造で構成されることを特徴とする請求項９に記載のセクターグラフ基盤設備の運営状態監視方法。
【請求項１６】
前記ステップ（ｃ）は、
一つの設備故障の余波で複数個の設備の運営状態が異常状況に進展される場合、一定数の過ぎた時間の同心円チャートを短い時間間隔（ｔｉｍｅ  ｓｌｉｃｅ）に順次に全て示して故障の波及状況を全体異常状況の原因追跡が容易であるようにすることを特徴とする請求項９に記載のセクターグラフ基盤設備の運営状態監視方法。
【発明の詳細な説明】
【技術分野】
【０００１】
本発明は、各種プラントや建築物設備の運営状態を監視する装置及びその方法に関し、より詳しくは設備それぞれの運営状態をそれに対応する同心円状のセクターに半径のサイズ、色相の種類及び濃度を使用して扇形グラフで表示するセクターグラフ基盤設備の運営状態監視装置及びその方法に関する。
【背景技術】
【０００２】
通常的に、発電所、化学工程プラント、各種の製造工場のようなプラントは、多数の付属設備（Ｓｕｂｓｙｓｔｅｍ）で構成され、この付属設備はより多数の詳細付属設備や単位機器で構成される。例えば、発電所の場合、タービン及び補助機器システム、発電機及び補助機器システム、ボイラ及び補助機器システム、主給水システム、凝縮水システム、原料供給システム、冷却水システム、循環水システム、補助蒸気システムのようなシステムで構成され、タービン及び補助機器システムの場合、さらに高圧タービン、中圧タービン、低圧タービン、主蒸気制御バルブシステム、主蒸気遮断バルブシステム、タービン速度制御システム、タービン抽気システム、タービン軸受潤滑油システムなどのような詳細付属設備で構成される。そしてこの詳細付属設備はさらに単位機器や細部付属システムで構成されており、このような設備が相互有機的に連係され作動することによって電気を生産する。
【０００３】
よって、プラントが目的とする製品を望む品質水準と費用で生産するためには、プラントを構成する各付属設備の稼働状況をリアルタイムで持続的に監視して最適の運営状態を維持するようにしなければならない。また、設備の運営状態が定常から外れる場合には、アラームを鳴らすか、又はそれ以上設備を運営することが危険な状態に達すると該当設備又はプラント全体を強制に停止（ｔｒｉｐ）させる必要がある。
【０００４】
一方、大型ビル、大規模の公共施設、高層アパート及び大規模アパート団地のような大型建築物には例えば機械設備、電気設備、空調設備、給排水設備、消防設備、放送通信設備、エレベータ設備、駐車官制設備、出入管理設備、照明制御設備などのような多様な付帯設備（Ｓｕｐｐｏｒｔｉｎｇ  Ｆａｃｉｌｉｔｙ）が設けられる。そして、前記付帯設備はそれぞれ非常に多様で数多く付属機器で構成される。従って、前記建築物を最適に運営するためには、前記付帯設備が定常的に作動しているか否か持続的に監視しなければならない。
【０００５】
このような設備を監視するための従来の設備監視システムは、主に各設備の供給会社が提供する監視モニター又は設備の縮小模型（ｍｉｍｉｃ）監視盤を通じてユーザに運営状態情報を提供した。即ち、従来は主に設備の構成図（ｓｔｒｕｃｔｕｒａｌ  ｄｉａｇｒａｍ）又はフローチャート（ｆｕｎｃｔｉｏｎａｌ  ｆｌｏｗ  ｄｉａｇｒａｍ）をモニター画面に示し、設備の主要運営パラメータ値を数値や棒グラフまたは折れ線グラフで示し、異常が発生すると該当設備部分の色相を変化させるか又は点滅を使用して表示し、付随的に状況を説明する簡単なテキストを画面上に出力する方法が主に使用されてきた。
【０００６】
上述した従来の設備監視システムの場合、各設備に対応する相互に異なる複数個のモニター又は監視盤を同時に監視するためには多数の監視者が要るので安定的な設備運営のためには大勢の監視マンパワーが要求されて監視能率が低下されるという問題がある。
【０００７】
また、特定設備が段々非定常状態又は故障状況に近づく場合においても主要パラメータ値が設定した限界値（Ｌｉｍｉｔ  Ｖａｌｕｅ）を超えるか又はトリップの条件として設定したパラメータの組み合わせがトリップ条件を満たすときだけアラームを鳴らして監視者へ通報する警報システムを使用しており、監視者が異常状況を予め発見して対処しにくいという問題がある。
【発明の概要】
【発明が解決しようする課題】
【０００８】
本発明は、上記のような問題を解決するために案出されたものであって、本発明の目的は、各設備に対応する相互異なる複数個のモニター又は監視盤の代わりに全設備の異常有無を総合的に表出して迅速で容易に運営状況を判断できるセクターグラフ基盤設備の運営状態監視装置及びその方法を提供することである。
【０００９】
本発明の他の目的は、各設備の運営状態が段々非定常状態に近づく場合、既設定の限界値を超過する以前であってもユーザが予め対処できるように非定常状態への接近状態を表示することが可能であるセクターグラフ基盤設備の運営状態監視装置及びその方法を提供することである。
【００１０】
本発明のまた他の目的は、設備や機器のトリップ条件が２個以上の計測値やリミットスイッチ値の組み合わせからなる場合にもトリップ条件への接近状況を設備監視技術者や管理者らがすぐ把握して対処できるようにするためのセクターグラフ基盤設備の運営状態監視及びその方法を提供することである。
【課題を解決するための手段】
【００１１】
上述の目的を達成するために、本発明の装置は、複数個の設備の状態判断のための情報と計測値を収集するデータ収集部と、前記データ収集部から伝達された情報とデータを利用して前記設備の運営状態を判断するための運営状態判断部と、状態判断結果を同心円状の前記設備又は計測値及びトリップ条件（以下、単に「設備」とする）に該当するセクター（ｓｅｃｔｏｒ）に扇形グラフとトリップ帯（ｓｔｒｉｐｅ）で示すための演算を行って同心円チャートでディスプレーするものの前記グラフは同心円の中心から離れるほど設備の運営状態が定常から段々外れる状態に表示するユーザインタフェース部を含めて構成される。
【００１２】
そして、前記同心円チャートは、前記設備各々に対応する複数個のセクターに区分され、前記各設備の運営状態を示すセクターグラフは、設備に対応するセクターに扇形で表示される。このとき、前記設備の運営状態は前記扇形グラフの目盛りに該当する半径の長さに応じて定常停止状態、定常運営状態、警戒運営状態、非常運営状態、そして非常停止状態に区分され、さらにユーザに迅速で正確した状態の把握が可能にするために前記グラフは前記設備の運営状態に応じて色相と色相の濃度でも区分される。特に、定常停止状態は半径が０であることに該当する。
【００１３】
そして、前記同心円チャートは、運営状態間の警戒を示す主同心円と、主同心円間に主同心円が示す運営状態内における運営状態の良好あるいは不良の程度をより詳しく示すための細部同心円で構成される。
【００１４】
また、前記セクターグラフは、該当設備の運営状態が段々非定常状態に変化する場合、扇形の円周縁にいくほど該当運営状態を示す色相の基準濃度より色濃度が段々濃くなるように表示され、段々良好の状態に変化する場合、色濃度が段々薄くなるように表示されてもよい。
【００１５】
また、前記グラフは、前記設備の運営状態が不安定に振動する場合、振動範囲に該当する二つの同心円セクターの区間の色濃度が同じ濃度に濃く表示されてもよい。
【００１６】
また、前記セクターグラフに追加して設備や機器のトリップ条件が２個以上の計測値やリミットスイッチ値の組み合わせからなる場合には、複数のセクターグラフとトリップ帯を共に使用してトリップ条件への接近状況を設備監視技術者や管理者らがすぐ把握して対処できるようにする。
【００１７】
前記運営状態監視装置は、監視する設備の種類及び設備の詳細構成内容、各設備の運営状態判断の基準、状態判断のための情報及びデータの入力方法及び周期、同心円の数及び各設備に対応するセクターの位置と中心角、色濃度表示基準値、扇形グラフのディスプレー及び素の他の状態情報入出力方法をデータベース（ＤＢ）、知識基盤（Ｋｎｏｗｌｅｄｇｅ−ｂａｓｅ）又はユーザインタフェース部を介して入力されて前記グラフを含める運営状態関連情報を示す。
【００１８】
一方、本発明の前記設備の運営状態監視方法は、（ａ）複数個の設備の運営状態判断のための情報とデータを収集するためのデータ収集ステップと、（ｂ）前記収集された情報とデータを利用して前記設備の運営状態を判断するための状態判断ステップと、（ｃ）状態判断の結果を前記設備それぞれに対応する同心円状のセクターに扇形グラフで示すための演算を行ってディスプレーするユーザインタフェース提供ステップを含む。
【発明の効果】
【００１９】
本発明による設備の運営状態監視装置及びその方法においては、以下の効果を期待することができる。即ち、複数個の設備それぞれに対応する運営状態を原点を共有するセクターに含まれるセクターグラフとトリップ帯を使用して示すことで数多い設備の状況、例えば、セクター当り３°ずつ割当てる場合、一チャート当り１２０個の設備状況の運営状態を同時に一目で即時把握することが可能であるので設備の運営状態監視のための人力節減し、監視能率を向上させることができるという長所がある。  また、本発明によると、監視チャートを階層構造で構成して、上位チャートに下位チャートで示した設備運営状態情報のまとめ情報を示す場合、監視できる設備の数を自由自在に拡張させていくことができるという長所がある。
【００２０】
そして本発明による設備の運営状態監視装置及びその方法によると、各設備の運営状態が段々非常状態に変化する場合、段々定常状態に回復する場合、そして状態が不安定に振動する場合を表示することが可能であるので設備管理者が変化する状況も迅速に認知して予め対処することが可能であるという長所がある。
【００２１】
また、本発明によると、各設備の運営状態の変化を短い時間ごとに逆追跡することが可能であるので一つの故障が波及され多数の異常状況が同時多発的に発生される場合であっても容易に状況発生の先後関係と故障原因の追跡をすることができ、それによって大事故又は莫大な経済的損失を予防することができるという長所がある。
【図面の簡単な説明】
【００２２】
【図１】本発明によるセクターグラフ基盤設備の運営状態監視装置の構成ブロック図である。
【図２】本発明による設備の運営状態監視装置の統合監視チャート画面の例示である。
【図３】図２の設備の監視チャートを説明するための細部図である。
【図４】図２の設備の監視チャートにおいて状態区分の例示である。
【図５】ｍ／ｎトリップ条件で括るセクターのグループ表示の例示である。
【図６】４／６０トリップロジックを説明するための図である。
【図７】４／６０トリップロジックを４個のセクターで示す例示である。
【図８】本発明を建築物設備に適用した例の構成を示すブロック図である。
【図９】本発明の建築物設備の運営状態を示す同心円チャートを示す例示図である。
【図１０】本発明の建築物設備の運営状態監視方法を示すフロー図である。
【発明を実施するための形態】
【００２３】
以下では、上述のような本発明によるプラント及び建築物設備の運営状態監視のためのディスプレー方法の具体的な実施例を添付の図面を参照して詳しく説明する。
【００２４】
図１は、本発明によるセクターグラフ基盤設備の運営状態監視装置の構成ブロック図である。
【００２５】
本発明によるセクターグラフ基盤設備の運営状態監視装置１は、図１に示すように、監視対象プラント２を構成する付属設備から運営パラメータＰＤ１〜ＰＤｎを収集してデータベースに貯蔵するためのデータ収集部１０と、データ収集部１０から伝達された運営パラメータを利用して各付属設備の運営状態を判断してデータベース４０に貯蔵する運営状態判断部２０と、各付属設備の運営状態を各付属設備に対応する同心円状のセクター内に同心円の中心を原点にして扇形グラフに示すユーザインタフェース部３０と、各種データと設定値などを貯蔵するためのデータベース部４０とで構成される。ユーザインタフェース部３０は運営者の要求に応じてデータベース４０に貯蔵された以前時間のチャートや下位チャートを見せることができ、運営状態判断のための基準データや警報及びトリップ設定値などの入力を受けてデータベース４０に貯蔵することができる。
【００２６】
図１を参照すると、監視対象設備２は、多数の付属設備を有する発電設備や化学工程プラント、建築物プラントなどであって、付属設備の運営状態を示す運営パラメータＰＤ１〜ＰＤｎは該当付属設備の警報及びトリップに関連されるアナログ計測値や警報リミットスイッチ信号及びトリップリミットスイッチ信号値を示す。
【００２７】
ユーザインタフェース部３０は、運営状態判断部２０が判断した各付属設備の現在状態を監視チャートを利用して表示するが、監視チャートは図２に示すような同心円チャートと、セクター銘板、グラフィックウィンドウ、テキストウィンドウからなる。又は、ユーザインタフェース部３０は一つの設備故障の余波によって複数個の設備の運営状態が異常状況に進展される場合、一定数の経過した時間の同心円チャートを短い時間間隔（ｔｉｍｅ  ｓｌｉｃｅ）に順次に全て示して故障の波及状況と全体異常状況の原因追跡を容易にする。
【００２８】
このように、本発明の設備の運営状態監視装置１は、多数の警報及びトリップ関連アナログ及びバイナリ計測値の状況を集約的である同時に迅速な観測が可能であるようにするために原点を共有する同心円のセクターを使用するグラフ法で示される。
【００２９】
図２は、本発明の具体的な実施例による発電設備の運営状態監視のためのディスプレー画面の例であって、発電設備が多数の付属設備で構成される場合に各付属設備の運営状態を統合して示す監視用同心円チャート５０と、この同心円チャート５０の両側に表示されるセクター銘板６０と、選択されたアナログ計測値をグラフで表示するグラフィックウィンドウ７２と、テキスト説明が表示されるセクターのテキストウィンドウ７４で構成される。
【００３０】
本発明の具体的な実施例によって発電設備の運営状態を監視するための同心円チャート５０は、警報及びトリップに関連されるアナログ計測値の現在状況と推移、そしてアナログ計測値及びリミットスイッチ信号を多様に組み合わせて構成するトリップロジックの進行状況をセクターグラフを含める同心円チャート（Ｃｈａｒｔ）で示している。ここで、警報状態は監視対象設備や機器の運営状態が定常運営範囲から外れて危険な状態に接近していく場合であり、トリップ状態は監視対象設備や機器がこれ以上運営する場合に深刻な損傷を負うか、または他の事故に波及される可能性があって設備や機器の稼働を中断させる状態をいう。
【００３１】
図２を参照すると、同心円チャート５０は各付属設備の状態を区分する多数の同心円と各付属設備の運営パラメータに対応するセクターで構成されるが、同心円チャート５０に含まれるセクター数は各セクターに割当てる中心角の大きさに応じて調整してもよい。図２の場合はセクター当り３°ずつ割当して一つのチャートに１２０個のセクターが収容できるように構成した例である。同心円チャート５０は運営状態間の警戒を示す主同心円と、主同心円間に主同心円が示す運営状態内における運営状態の良好や不良の程度をより詳しく示すための細部同心円で構成される。
【００３２】
また、本発明による設備の運営状態監視チャートは階層構造で構成して上位のチャートは主に下位のチャートから上がってくるまとめ情報を示すセクターで構成し、下位のチャートに下りるほど一つのセクターが特定計測値状態をより直接的に示すようにして、表示すべき情報の数によって自由自在に拡張が可能である構造で構成することができる。
【００３３】
図３は、本発明による設備の運営状態監視チャートの細部構成内容を説明する例示図である。
【００３４】
図３に表示されたように、本発明に監視チャートは大別にセクターグラフ（Ｓｅｃｔｏｒ  Ｇｒａｐｈ）５１、トリップ帯（Ｔｒｉｐ  Ｓｔｒｉｐｅ）５２、セクター番号帯（Ｓｅｃｔｏｒ  ｎｕｍｂｅｒ  Ｓｔｒｉｐｅ）５３で構成されたセクターに分けられた同心円チャート５０と、同心円チャート５０の左右に配置されたセクターの名称を示すセクター銘板６０で構成される。
【００３５】
各セクターグラフ５１は、設備の監視のための計測値の現在状況を示す扇形グラフであり、監視する設備と該当計測値の特性によってセクターグラフ５１の目盛り構成のために複数個の主状態（Ｍａｉｎ  Ｓｔａｔｅ）と、さらに主状態を細分する細部状態（Ｄｅｔａｉｌｅｄ  Ｓｔａｔｅ）に区分する。例えば、図３の例示では、以下の表１のように４個の主状態と各主状態を細分する細部状態を表す。
【表１】
2014167765.tif 000003
【００３６】
第１は、定常状態（Ｎ：Ｎｏｒｍａｌ  Ｓｔａｔｅ）として計測値が発電所の定常的な運転範囲内にあると判定される状態であって、さらにＮＬ（Ｎｏｒｍａｌ  Ｌｏｗ）、Ｎ（Ｎｏｒｍａｌ）、ＮＨ（Ｎｏｒｍａｌ  Ｈｉｇｈ）及びＮＨＨ（Ｎｏｒｍａｌ  Ｈｉｇｈ−Ｈｉｇｈ）の４つの状態に細分されており、このときのセクターグラフは緑色（Ｇｒｅｅｎ）で示すようにする。第２は、警戒状態（Ａ：Ａｌｅｒｔ  Ｓｔａｔｅ）として計測値が警報限界値（ａｌａｒｍ  ｌｉｍｉｔ  ｖａｌｕｅ）セット値に近接した状態であって、さらにＡＬ（Ａｌｅｒｔ−Ｌｏｗ）、Ａ（Ａｌｅｒｔ）、ＡＨ（Ａｌｅｒｔ  Ｈｉｇｈ）及びＡＨＨ（Ａｌｅｒｔ  Ｈｉｇｈ−Ｈｉｇｈ）の４つの状態に細分されており、このときのセクターグラフは橙色（Ｏｒａｎｇｅ）で示すようにする。第３は、非常状態（Ｅ：Ｅｍｅｒｇｅｎｃｙ  Ｓｔａｔｅ）として計測値が警報限界値セット値を超過して警報が発生したか又は発生すべく状況からトリップ限界値（Ｔｒｉｐ  ｌｉｍｉｔ）セット値に達する範囲であって、さらにＥＬ（Ｅｍｅｒｇｅｎｃｙ−Ｌｏｗ）、Ｅ（Ｅｍｅｒｇｅｎｃｙ）、ＥＨ（Ｅｍｅｒｇｅｎｃｙ−Ｈｉｇｈ）及びＥＨＨ（Ｅｍｅｒｇｅｎｃｙ  Ｈｉｇｈ−Ｈｉｇｈ）に細分されており、このときのセクターグラフは赤色（Ｒｅｄ）で示す。第４は、トリップ状態（ＴＳ：Ｔｒｉｐ  Ｓｔａｔｅ）としてトリップ関連計測値がトリップ限界値に達すると該当セクターグラフはＥＨＨまで、つまりセクターグラフ全体が赤色に満たされることになる。
【００３７】
よって、本発明の実施例においてセクターグラフ５１は、原点から全１２個の同心円目盛りを有し、各状態は各々の同心円の目盛りで示される。例えば、ＡＨは目盛り７、Ｅ状態は目盛り１０に相応する。また、アナログ測定値がトリップ限界値セット値を超過する場合にその状態はＥＨＨとなる。各状態をより細分化する必要かある場合、追加にその状態を定義し、それによって同心円の目盛り数を調整することができる。
【００３８】
セクターグラフ５１の目盛りは、セクターグラフが示す警報及びトリップ項目と関連される該当アナログ計測値の定常運転値の平均と、該当計測値の警報限界値セット設定値及びトリップ限界値セット設定値と設備や機器運営専門家の意見を反映して設定する。前記３個の値を使用して各セクターグラフの目盛りを決定する方法の例を図４に示す。
【００３９】
図４に示すように、定常運転値の平均は同心円の目盛り２に、警報限界値セット値は同心円の目盛り８に、トリップ限界値セット値は同心円の目盛り１２にそれぞれ設定する。各セクターの該当トリップ限界値のセット値と警報限界値セット値を４等分して同心円の目盛り９、１０、１１に該当する計測値を算定し、定常運転値の平均と警報限界値セット値を６等分して同心円の目盛り３、４、５、６、７に該当する値を算定して、０と定常運転の平均値の間を２等分して同心円の目盛り１に該当する値を算定する。実際の計測値が二目盛り間である場合セクターグラフは下位の目盛りで示す。ただし、計測値が０を超過して目盛り１の間になる場合、全て目盛り１の値にする。よって、例えば、計測値が目盛り１１以上で１２未満であると目盛り値を１１とする。計測値がトリップセット値に達したか、又は超過する場合には全て目盛り１２にし、セクターグラフ全体を赤色で満たす。前記目盛りの数と決定方法は監視しようとする設備や機器の特性に応じて調整してもよい。
【００４０】
図５は、本発明によって、ｍ／ｎトリップ条件ロジックで括っているセクターのグループ表示例である。図５でセクターは、セクターが示す主要運転計測値の対象設備やシステムに応じて管理の便宜のために主グループ（Ｍａｉｎ  Ｇｒｏｕｐ）と細部グループに分類する方式で分類することができる。
【００４１】
図５を参照すると、グループとグループ及びセクターとセクター間の境界は、主グループ同士には太い実線５４で区分し、細部グループ同士には細い実線５５で区分して、細部グループ内のセクター同士には点線５６で区分して示す。単独に使用される警報及びトリップ信号又は計測値関連セクターは、メンバーセクターが１個である細部グループになっていく実線でその境界が表示される。
【００４２】
図５においてセクター番号１乃至１２は、以下の表２のように一つの主グループで括って、この主グループは３個の細部グループと２個の独立セクターからなる。
【表２】
2014167765.tif 000004
【００４３】
前記表２において、主グループＢＬＲ  ＭＡＩＮ  ＳＴ（Ｂｏｉｌｅｒ  Ｍａｉｎ  Ｓｔｒｅａｍ）は、セクター１乃至セクター１２からなり、細部グループＡは点線で区分されるセクター番号１、２、３で構成され、細部グループＢは点線で区分されるセクター番号４、５、６で構成される。
【００４４】
そして、セクター銘板においてトリップロジックは、該当セクターが「ｍ  ｏｕｔ  ｏｆ  ｎ（ｍ／ｎ）」タイプのトリップロジックで括っているｎ個のトリップ関連計測値状態をｎ個のセクターを使用して示す場合にはｎ個のセクターを細部グループで括って示す。例えば、「（２／３）」トリップロジックで括っている３個の計測値状態を３個のセクターを使用して示す場合、該当３個のセクターを一つの細部グループで括って示し、該当セクターの銘板のセクター名の後に「（２／３）」を表示して２／３トリップロジックで括っているセクターのうち一つであることを明示する。
【００４５】
また、セクター数を減らして示される必要がある場合、１個以上ｎ個未満のセクターで括った細部グループで示されることもある。例えば、「４／６０」トリップ条件ロジックで括っている計測値の場合、下位チャートの６０個のセクターのうちから最も状態が深刻な上位４個のセクター値が上位チャートに上げられ、上位チャートにおいてはこれが４個セクターの細部グループで表示されて、該当セクターの銘板のセクター名の後に「（４／６０）」を表示して「４／６０」トリップロジックで括っているセクターのうち一つであることを明示する。
【００４６】
下位チャートの所定のセクター情報を括って上位チャートで１個のセクターを使用して示されようとするときはセクター名の後に「＿１／ｎ」で表示し、よって「ｍ／ｎ」においてｍが１になる場合には単純にｎ個のセクターのまとめ情報を示すという意味であってトリップロジックとは関係ない。
【００４７】
各セクターが示すトリップ関連計測値がトリップ限界値を超過すると該当セクターグラフは、ＥＨＨ（同心円の目盛り１２）まで赤色で満たされ、ｍ  ｏｕｔ  ｏｆ  ｎトリップロジックで括っているセクターグラフのトリップ帯（Ｓｅｃｔｏｒ  Ｓｔｒｉｐｅ）は全て同じ色相でトリップ状況への接近程度（Ｐｒｏｘｉｍｉｔｙ）を表すことになる。その接近程度に応じて該当付属グループに該当するトリップ帯に表す色相表示の例を挙げると以下の表３のようである。
【表３】
2014167765.tif 000005
【００４８】
図６は、本発明の実施例において「４  ｏｕｔ  ｏｆ  ６０（４／６０）」、つまり６０個の監視状況（計測値）のうち４個の状況がトリップ設定限界値に達すると該当設備や機器をトリップさせるトリップ条件ロジックで括っている６０個の監視状況がトリップに接近していくことによってトリップ帯の色相が変わっていくことを示す例示図である。
【００４９】
図６に示す各Ｃａｓｅの意味は以下のようである。Ｃａｓｅ０は６０個の計測値のうち何れの値もトリップセット限界値に達してない場合であってトリップ帯は６０個セクター全部白色である。Ｃａｓｅ１は６０個の計測値のうち１個の値がトリップセット限界値に達する場合であってトリップ帯は６０個セクター全部黄色である。Ｃａｓｅ２は６０個の値のうち２個の値がトリップセット限界値に達する場合であってトリップ帯は６０個セクター全部橙色である。Ｃａｓｅ３は６０個の値のうち３個の値がトリップセット限界値に達する場合であって、トリップ帯は６０個のセクター全部ピンク色である。Ｃａｓｅ４は６０個の値のうち４個の値がトリップセット限界値に達してトリップ条件に満たされた場合であって、トリップ帯は６０個のセクター全部赤色である。
【００５０】
図７は、図６の「４／６０」のトリップ条件ロジックを上位のチャートからセクターの数を減らして４個のセクターを使用して示す場合の例示図である。図７に示す各Ｃａｓｅの意味は図６において前記６０個のセクターを使用して示す場合と同じである。
【００５１】
一方、バイナリリミットスイッチを使用して警報及びトリップ信号を発生させ、該当パラメータ値を別のアナログ計測値で計測する場合には１個のセクターを使用してセクターグラフはアナログ計測値に応じて示し、トリップ帯は警報バイナリリミットスイッチとトリップバイナリリミットスイッチの作動によってそれぞれ警報の時にはピンク色で、トリップの時には赤色に示すこともある。この場合にはセクターグラフの表示とトリップ帯の色相表示に一貫性がない場合にはアナログ計測値とバイナリリミットスイッチの作動値の間にエラーが存在することがわかる。
【００５２】
もし、アナログ計測値が別に用意されてなくてバイナリリミットスイッチのみで動作する警報及びトリップ信号の場合をセクターで示す必要がある場合にはセクター帯の色相変化は前述の場合と同じで、セクターグラフは目盛り２のＮｏｒｍａｌ状態（緑色）、目盛り８のＡｌａｒｍ状態（黄色）、目盛り１２のトリップ状態（赤色）の３つの場合だけを示す。即ち、警報リミットスイッチが作動してない状態ではセクターグラフを緑色で表示し、警報リミットスイッチが作動するとセクターグラフを黄色で表示して、トリップリミットスイッチが作動されるとセクターグラフを赤色で表示する。
【００５３】
また、アナログ計測値をセクターグラフで示す場合にはセクターグラフの縁の２個の目盛りの色相の濃度を変化させて計測値の推移を示すようにする。例えば、計測値の推移を安定、増加、減少及び振動の４つに定義する場合、まず「安定」である場合にはセクターグラフの色相を一定に表示し、「増加」の場合にはセクターグラフの縁の２個の目盛りの色相の濃度を縁に行くほど段々濃くなるようにし、「減少」の場合にはセクターグラフの縁の２個の目盛りの色相の濃度を段々薄くなくようにし、「振動」の場合にはセクターグラフの末端の１個の目盛りの色相の濃度だけ濃く表示する。
【００５４】
特定監視状況のトリップロジックにトリップ条件の満足のほかに、追加に時間遅延が設定されている場合、トリップ条件が満たされるとトリップ帯の色相を褐色（Ｂｒｏｗｎ）に変え、最終トリップ信号が発生されると赤色に変えるようにする。
【００５５】
再び図２を参照すると、各セクター毎に該当セクターが示す状況又は状況を監視することに使用する計測値の名称を同心円チャート５０の左右に整列したセクター銘板６０を使用して示される。セクター銘板６０はセクター番号と、名称、及び計測値で構成される。まず、セクター銘板の前部分にはセクター番号帯（Ｓｔｒｉｐｅ）５３に明示された各セクターの該当番号を明示し、次にはセクター番号に該当するセクターの名称を示す。セクター名称の同じセクターがある場合区別のための接尾語を追加して表示するようにし、セクター名称に該当するアナログ計測値がある場合セクター名称と共に該当計測値を示す。
【００５６】
また、前述のように、セクターグラフの色相は、警戒状態（Ａｌｅｒｔ  Ｓｔａｔｅ）時に黄色、非常状態（Ｅｍｅｒｇｅｎｃｙ  Ｓｔａｔｅ）時には赤色に変わることになり、このときの該当銘板を即時に識別するために同じセクター番号の銘板はセクターグラフと共に黄色及び赤色に変える。
【００５７】
セクター銘板６０をマウスでクリック（Ｃｌｉｃｋ）すると、セクター銘板に該当するアナログ計測値がある場合には図２に示すように、右側上端のグラフィックウィンドウ７２に該当計測値の推移を表すグラフが示されるようにする。もし、クリックしたセクターが下位チャートから上がったまとめ情報を示して直接的に相応する計測値がない場合には該当下位チャートを図２と類似した補助画面に示し、このとき、補助画面に示した下位チャートで該当セクターをクリックする場合さらに補助画面の横に上記のように推移を表すグラフが表示されるようにする。
【００５８】
該当セクターが警報上限のみある場合には、セクター名称の末端に「 ａｌｍ」を追加して別のトリップ条件がないことを示す。一つのセクターでアナログ計測値はセクターグラフに、警報及びトリップ用のバイナリリミットスイッチの同じトリップ帯を使用して示す場合にはセクター名称の末端に「 ３」を表示して該当セクター表示に３個のセンサーが使用されたことがわかるようにする。
【００５９】
相互独立のｎ個の計測値（バイナリセンサー含み）の状態を括って一つのセクターで代表して示す場合には、名称の後に「１／ｎ」を表示してｎ個の計測値を１個のセクターで示されたことを明示する。このとき、セクターグラフとトリップ帯はｎ個の値のうち最も大きいセクターグラフの値と最も状態が深刻なセクター帯の状態で示す。ｎ個の計測値のうち何れも警報やトリップ条件が満たされると警報を鳴らし、図２の右側下端に見えるテキストウィンドウ７４に該当状態を説明するテキストを表示する。
【００６０】
図２のチャートにおいて上端真中に位置したセクター５７は主セクター（Ｍａｉｎ  Ｓｅｃｔｏｒ）であって、主セクター５７にはセクター番号「０」を付けて、該当チャートにおいて最も深刻な状態のセクターを共に示すようにする。ただし、機器や設備のトリップ条件が満たされると実際に機器や設備のトリップ有無を独立的に検査してトリップが確認されると主セクターのトリップ帯の色を赤色から紫色（Ｐｕｒｐｌｅ）に変える。主セクター銘板５８は主セクター５７に示したセクターの銘板の内容を示す。
【００６１】
警報及びトリップ条件が満たされると該当セクターグラフの色相が赤色に変え、該当セクターの銘板の色相も共に変えることになり、特に、トリップ条件を満たしたときには該当銘板が点滅されて警報音がする。警報音がする場合確認ボタン５９ａを押すと警報音が止まり点滅がある場合に点滅も止まる。リセットボタン５９ｂを押すと警報及びトリップ値が初期化され、再び現在の計測値状態を示すようにする。
【００６２】
図８は、本発明による設備の統合監視方法を建築物の設備の監視に適用するための例を示す。図８に示すように建築物の全設備の運営状態を統合して同時に監視する。前記複数個の設備は図８に示すように、受変電設備１１０、空調設備１２０、給排水設備１３０、給排気設備１４０、エレベータ設備１５０、消防設備１６０、そして通信設備１７０を含む。しかし必ずこれに限定されることではなく、大型ビル、大規模の公共施設、高層アパート及び大規模アパート団地のような大型建築物に付属する機械設備、電気設備、空調設備、衛生設備、消防設備、放送通信設備、エレベータ設備、駐車官制設備、出入管理設備、照明制御設備などのような多様な設備を含めてもよい。
【００６３】
前記複数個の設備１１０、１２０、１３０、１４０、１５０、１６０、１７０の運営状態を監視するための情報とデータはデータ収集部２００により収集される。そして前記データ収集部２００が収集した情報とデータは前記状態判断部３００に伝達される。前記状態判断部３００は前記データ収集部２００から伝達された情報及びデータを利用して前記設備１１０、１２０、１３０、１４０、１５０、１６０、１７０の運営状態を判断する。
【００６４】
ユーザインタフェース部４００は、前記状態判断部３００から各設備の運営状態判断の結果が通報されて前記設備１１０、１２０、１３０、１４０、１５０、１６０、１７０の運営状態を各設備に該当する同心円状のセクターに扇形のグラフで示す。
【００６５】
ここで、本発明の具体的な実施例による設備運営状態を示す扇形セクターグラフを含む同心円チャート（ｃｈａｒｔ）は、階層構造を有するように構成される。前記階層構造は建築物全体の主要設備の運営状態を表す最上位階層の同心円チャートと、さらに前記各主要設備を構成する詳細付属設備や機器の運営状態を表す次上位階層の同心円チャートで構成され、必要に応じてより細分化して下りていく構成である。例えば、前記主要設備１１０、１２０、１３０、１４０、１５０、１６０、１７０のうち受変電設備１１０を構成する細部設備としてＭＯＦ設備、主遮断機設備、電灯動力１設備、電灯動力２設備、一般動力設備、非常動力設備、冷凍機動力設備、非常発電機などを指定することができ、必要に応じて各設備や機器別により詳しく細分して下位階層に下りることができる。
【００６６】
以下、特に建築物の付帯設備の運営状態を示す同心円チャートを示す場合にはＦＡＳＴ（Ｆａｃｉｌｉｔｙ  Ａｖａｉｌａｂｉｌｉｔｙ  Ｓｔａｔｕｓ  Ｔｒａｃｋｉｎｇ）チャート、そしてプラントの付属設備の運営状態を表す同心円チャートを示す場合にはＰＯＳＴ（Ｐｌａｎｔ  Ｏｐｅｒａｔｉｎｇ  Ｓｔａｔｅ  Ｔｒａｃｋｉｎｇ）チャートとそれぞれ呼ぶことにする。
【００６７】
図９は、本発明のまた他の具体的な実施例による設備運営状態を示す典型的な建築物のＦＡＳＴチャートの例示図である。
【００６８】
図９に示すように、各セクターは同心円が示す建築物の各主要設備に対応される。各主要設備はさらに該当設備を構成する細部設備や機器に細分して表すことができ、この場合細部設備や機器は現同心円チャート上で該当主要設備を表すセクターを細分して細部セクターで示してもよく、該当設備を表す下位のＦＡＳＴチャートを生成して示してもよい。
【００６９】
前記各セクターに該当する設備の運営状態は、セクター内部に扇形のグラフで示し、前述のＰＯＳＴ  Ｃｈａｒｔと同様に運営状態が定常状態から段々外れるほどグラフの半径が段々大きくなり、半径のサイズによって各々以下の状態を意味する。
【００７０】
即ち、最内側の同心円である第１同心円５１０の内部は設備が定常に運営される状態の定常運営状態（Ｎｏｒｍａｌ  Ｏｐｅｒａｔｉｎｇ  Ｓｔａｔｅ）であることを意味する。次に、前記第１同心円５１０の外側に示す第２同心円５２０は設備の運営状態が注意を要する状態の警戒運営状態（Ａｌｅｒｔ  Ｏｐｅｒａｔｉｎｇ  Ｓｔａｔｅ）の境界を示す。そして、前記第２同心円５２０の外側に示す第３同心円５３０までは設備の主要運営パラメータのうち一部又は全部が設定した限界値を超過して警報が鳴る状態の非常運営状態（Ｅｍｅｒｇｅｎｃｙ  Ｏｐｅｒａｔｉｎｇ  Ｓｔａｔｅ）を意味する。続いて、前記第３同心円５３０の外側に示す第４同心円５４０は設備が否定情的に停止された状態（トリップ）を示し、さらにグラフを表示する色相によって自体原因で停止される故障停止状態（Ｅｍｅｒｇｅｎｃｙ  Ｔｒｉｐ  Ｓｔａｔｅ）と波及原因で停止される非常停止状態（Ｅｍｅｒｇｅｎｃｙ  Ｓｔｏｐ  Ｓｔａｔｅ）に区分される。最後に最外側に示す第５同心円５５０はＦＡＳＴ  Ｃｈａｒｔの場合設備のトリップロジックが単純であるとトリップロジックの進行状態の代わりに設備の稼働有無を示すようにする。
【００７１】
前記第５同心円５５０は、より細分して現在停止中であることを示す場合では修理補修状態（Ｍａｉｎｔｅｎａｎｃｅ  ａｎｄ  Ｒｅｐａｉｒ  Ｓｔａｔｅ）と起動待機状態（Ｓｔａｎｄ−ｂｙ  Ｓｔａｔｅ）に区分される。そして、現在稼働中であることを示す場合には、更に起動進行状態、（Ｓｔａｒｔ−ｕｐ  Ｓｔａｔｅ）、全体稼働状態（Ｆｕｌｌ  Ｏｐｅｒａｔｉｏｎ  Ｓｔａｔｅ）、部分稼働状態（Ｐａｒｔｉａｌ  Ｏｐｅｒａｔｉｏｎ  Ｓｔａｔｅ）、そして停止進行状態（Ｓｈｕｔ−ｄｏｗｎ  Ｓｔａｔｅ）に区分される。ここで、上述した運営状態の区分は、監視対象建築物の設備の特性によって異なりえるし、増やすか、又は減らすことができる。
【００７２】
図９と同様に、セクターの名称をセクター銘板の代わりに直接矢印を使用して示してもよい。運営状態によって示す色相はプラントと同様である。即ち、前記設備の運営状態が定常であると判断される場合、第１同心円５１０の内側に定常状態を示すために選択した色相の基本濃度で表示される。例えば、図９に示すように、受変電設備６１０の第１細部設備であるＭＯＦ設備６１１が定常状態であると感知された場合、前記受変電設備６１０に対応する第１セクターの第１細部セクター内の扇形グラフは第１同心円５１０の内側に定常状態を示すために任意に選定した色相である緑色の基本濃度で表示される。この際、前記第１同心円５１０の内側には定常状態をより細分してごく定常、大体定常、警戒状況に近接した定常などの細部同心円が表示され、定常状態の程度によって該当細部同心円の半径に該当する扇形グラフでより詳しい運営状態が表示されることができる。
【００７３】
運営状態が警戒状態であると感知される場合、定常状態を示す第１同心円５１０と警戒状態を示す第２同心円５２０の間に現在の運営状態に該当する半径の扇形グラフ全体が警戒状態を示すために選定した色相の基本濃度で表示される。例えば、図９に示すように、急排水設備６３０が警戒状態であると感知される場合、前記給排水設備６３０に対応する第３セクター内に第１同心円５１０と第２同心円５２０の間に現在の運営状態に該当する細部同心円の半径に該当する扇形グラフが警戒状態を示すために任意に設定した色相である黄色の基本濃度で表示される。この際、前記第１同心円５１０と第２同心円５２０の間は細部同心円に細分されてより詳しい運営状態が表示されえることは前述と同様である。
【００７４】
運営状態が非常状態であると感知される場合、警戒状態を示す第２同心円５２０と非常状態を示す第３同心円５３０の間に非常状態を示す色相の基本濃度で表示される。例えば、図９に示すように、給排気設備６４０が非常状態であると感知される場合、前記急排気設備６４０に対応する第４セクター内の第２同心円５２０と第３同心円５３０の間に非常状態の程度によって選択された半径に該当する扇形グラフが非常状態を示すために任意に選定した色相である赤色で表示される。この際、前記第２同心円５２０と第３同心円５３０の間は細部同心円に細分されてより詳しい運営状態が表示されえることは前述と同様である。
【００７５】
運営状態が故障又は非常停止状態であると感知される場合、故障又は非常停止状態を示す第４同心円５４０の内側の扇形全体が故障停止状態または非常停止状態を示すために選定した色相の基本濃度で表示される。例えば、図９に示すように、受変電設備６１０の第７細部設備である冷凍機動力設備６１７が故障停止状態であると感知される場合、冷凍機動力設備に該当するセクター１の第７細部セクター内の第４同心円５４０の内側に該当する扇形の全体が故障停止状態を示すために任意に選定した色相である紫色で表示される。そして前記冷凍機動力設備の故障停止による余波で空調設備６２０は電力供給されなくて停止されるので空調設備６２０に該当する第２セクターの第４同心円５４０の内側に該当する扇形の全体が非常停止状態を示すために任意に選択した色相である赤色で表示される。
【００７６】
建築物又はプラント全体に該当するセクター番号０である主セクターの場合、付帯設備のうち運営状態が最も深刻な設備の状態表示扇形グラフと同じく示す。例えば、図９に示すように、受変電設備６１０の第７細部設備である冷凍機動力設備６１７とエレベータ設備６５０の第２細部設備であるエレベータＢ設備６５２が現在故障停止状態であるので建築物Ｂを示すセクター０に示す扇形グラフを故障停止状態を示す第４同心円５４０まで故障停止を示すために選定した紫色で満たされる。
【００７７】
最外枠の同心円である第５同心円５５０と故障又は非常停止状態を示す第４同心円５４０で囲まれたトリップ帯（Ｔｒｉｐ  Ｓｔｒｉｐｅ）部分は、ＦＡＳＴ  Ｃｈａｒｔの場合上述のように各セクター別に該当設備の現在設備の現在稼働有無を示すように活用されることができる。まず、該当設備が現在停止状態である場合には修理補修状態（Ｍａｉｎｔｅｎａｎｃｅ  ａｎｄ  Ｒｅｐａｉｒ  Ｓｔａｔｅ）を示す場合と稼働可能状態（Ｓｔａｎｄ−ｂｙ  Ｓｔａｔｅ）を示す場合に分けて相互異なる色相に区分して表示する。そして、該当設備が現在稼働状態である場合には稼働進行状態、全体稼働状態、部分稼働状態、停止進行状態に区分し、更に稼働進行状態は進行程度に比例して稼働状態を示すために選定した色相で前記円帯を満たす。即ち、該当設備が全体稼働状態である場合には、前記円帯部分を稼働状態を示す色相で全部満たし、該当設備が部分稼働状態である場合には前記円帯部分を稼働比率に比例する面積分時計方向に稼働状態を示す色相で満たしていく。例えば、図８に示すように受変電設備６１０の第１細部設備であるＭＯＦ設備６１１は、現在稼働されているので第１セクターの第１細部セクターに該当する最外枠の円帯は稼働状態を示すために任意に選定した青色で満たされる。同様に、給排水設備６３０も現在稼働中であるのでこれも青色で満たされる。受変電設備６１０の第７細部設備である冷凍機動力設備６１７とエレベータ設備６５０の第２細部設備であるエレベータＢ設備６５２は現在故障停止状態であるので修理が必要な状態であり、よって最外枠の円帯が修理及び補修状態を示すために任意に選定した黄色で満たされる。
【００７８】
図１０は、本発明の具体的な実施例による設備の運営状態監視方法を詳しく示すフローチャートである。
【００７９】
図１０に示すように、本発明の具体的な実施例による建築物及びプラント運営状態監視方法は、建築物及びプラントの各設備の運営状態を判断してＧＵＩで示すための基本情報の入力を受けるステップから開始される（Ｓ１００）。入力された基本情報には設備構成の情報、各設備別の運営状態判断のための主要状態変数の種類と変数値の収集方法及びその周期、監視サーバが別に用意されている設備の場合該当サーバとの通信プロトコル及び交換可能の情報内容、各設備別の状態判断基準、ＦＡＳＴチャート又はＰＯＳＴチャートの階層構造及び各チャートのセクター構成内容、各設備の運営状態判断結果をＦＡＳＴチャート又はＰＯＳＴチャート上の該当扇形グラフの長さ及び色相の濃度に変換する基準、ディスプレーウィンドウ構成及び入出力内容と方法、各設備別の運営状態判断周期を含む。
【００８０】
次に、各設備の運営状態を判断するためのリアルタイム設備運営情報とデータを収集する（Ｓ１１０）。運営情報とデータは現場に設けられたセンサーと計測器から収集して監視サーバを別に用意している設備の場合には該当監視サーバを介しても収集する。
【００８１】
続いて、第１１０ステップで収集した情報とデータを基づいて基本情報の入力を受けた状態判断基準によって各設備の運営状態を判断する（Ｓ１２０）。状態判断は簡単な場合にはアルゴリズムを使用して判断して考慮すべき事項が多い場合や随時に判断方法が変動されえる場合には知識基盤システム（Ｋｎｏｗｌｅｄｇｅ−ｂａｓｅｄ  ｓｙｓｔｅｍ）を構成して判断するようにする。運営状態判断結果は、ＦＡＳＴチャートやＰＯＳＴチャート上に示す該当設備の扇形グラフの長さを定めえる情報を含めて運転状態が流動的である場合上述と同様にグラフ色相の濃度表示が可能な情報をさらに含む。
【００８２】
ここで、各設備別の運営情報とデータの収集及び運営状態の判断は処理する情報の量と緊急性によって必要のとき、ハードウェア及びソフトウェア的に並列分散処理で行うことができる。即ち、ハードウェア的には全体運営状態監視タスクを管掌する中央サーバと各設備又は設備のグループを担当する複数の設備サーバが階層構造でネットワークに連結されたシステムが構成され、ソフトウェア的には各設備別に運営状態判断のためのソフトウェア知能エージェントをプロセス（ｐｒｏｃｅｓｓ）やスレッド（ｔｈｒｅａｄ）の形に生成してタスクを分担させることができる。
【００８３】
次に、各設備別の運営状態判断結果をＦＡＳＴチャート又はＰＯＳＴチャート上の該当セクター内に扇形グラフで示す（Ｓ１３０）。この際ユーザ又は設備管理者の迅速正確な状況判断を支援するために必要の際に補助画面やウィンドウを利用してテキスト説明、下位詳細チャート、該当設備の構成図やフローチャート又は前述した計測値テーブルをさらに示すことができる。
【００８４】
続いて、ユーザがＦＡＳＴチャートやＰＯＳＴチャートの特定セクター位置をクリックするか、他の入力、例えば、メニューボタンやテキスト入力を行うか否かをチェックする（Ｓ１４０）。入力がない場合再びステップ１１０に戻ってループを繰り返す。
【００８５】
ユーザの入力がある場合、これを処理する（Ｓ１５０）。まず、ＦＡＳＴチャートやＰＯＳＴチャート上で特定セクター位置を選択してクリックする場合、前記選択されたセクターに対応する設備の下位チャートがある場合該当下位チャートが補助画面にディスプレーされ、別途に該当設備の運営状態をより詳しく示すために益する場合運営状態に対する傾向（Ｔｒｅｎｄ）とテキスト説明が共にディスプレーされることができる。一つの設備や機器故障の余波で幾つの設備や危機の運営状態が異常状態に進展される場合状況発生の先後関係を把握するためにインタフェース上に設けるＳＯＥ（Ｓｅｑｕｅｎｃｅ  ＯｆＥｖｅｎｔ）メニューボタンをクリックすると経過した時間を故障の先後関係を把握しやすい時間間隔（ｔｉｍｅ  ｓｌｉｃｅ）に分けて該当時間のチャートを補助画面に縮小されたサイズに瞬時的に示し、各チャート別に直前のチャートと比較して変化された状態と状態変化要因をテキストでも示す。また、ディスプレーされた縮小チャートのうち任意のチャートをクリックする場合該当チャートが拡大されてディスプレーされる。
【００８６】
本発明の具体的な実施例によるプラント及び建築物の設備又は機器の運営状態監視方法によると、原点を共有するセクターグラフを使用して同心円の目盛りと色相で運営状況を示すことによって多数の設備や機器の運営状態を一目で迅速正確に観察することが可能であって設備や機器の異常徴候を早期に発見して予め対処するか異常状況発生のときにも早期に発見して状況に対処できるようにすることによって設備の安定的な運営に大きく役に立ち、多数のモニターを使用して別に監視してた設備を統合して監視することができるので設備の運営状態監視のための人力節減も可能になるという長所がある。
【００８７】
本発明の権利は、上述された実施例に限定されることではなく請求範囲に記載されたことにより定義されて、本発明の分野で通常の知識を持つ者が請求範囲に記載された権利範囲内で多様な変形と改作することができることは自明である。
【図１】
2014167765.tif 000006
【図２】
2014167765.tif 000007
【図３】
2014167765.tif 000008
【図４】
2014167765.tif 000009
【図５】
2014167765.tif 000010
【図６】
2014167765.tif 000011
【図７】
2014167765.tif 000012
【図８】
2014167765.tif 000013
【図９】
2014167765.tif 000014
【図１０】
2014167765.tif 000015